【手続補正書】
【提出日】平成20年7月10日(2008.7.10)
【手続補正１】
【補正対象書類名】明細書
【補正対象項目名】特許請求の範囲
【補正方法】変更
【補正の内容】
【特許請求の範囲】
【請求項１】  （ａ）一種以上の超吸収性ポリマーおよび（ｂ）（ａ）とイオン相互作用または共有相互作用する官能基を含む一種以上の熱可塑性樹脂を含む押出性熱可塑性超吸収性ポリマーブレンド組成物であって、前記官能基はアシル基またはカルボニル基であり、前記熱可塑性樹脂は、ポリアクリル酸、エチレン−アクリル酸コポリマー、エチレン−ｔ−ブチルアクリレート−アクリル酸ターポリマー、エチレン−酢酸ビニル−一酸化炭素ターポリマー、エチレン−一酸化炭素コポリマー、エチレン−アクリル酸−一酸化炭素ターポリマー、エチレン−ｎ−ブチルアクリレート−一酸化炭素ターポリマーまたはそれらのブレンドであり、ただし、前記熱可塑性樹脂がエチレン−アクリル酸コポリマーであるときには、前記樹脂は前記コポリマーの質量を基準として１０〜２０質量％のアクリル酸を有し、１９０℃及び２．１６キログラムの加荷重条件下に１００〜２００ｇ／１０分のメルトフローレートを有する、押出性熱可塑性超吸収性ポリマーブレンド組成物。
【請求項２】  約０．１〜約３００ｇ／１０分の間のメルトフローレートを与える温度条件および加荷重条件下で、約５〜約１００フィート／分の間の溶融引落速度および約０．１〜約１０の間の溶融張力を有する請求項１に記載の組成物。
【請求項３】  前記超吸収性ポリマーは水溶性α，β−エチレン系不飽和モノマーから調製される請求項１に記載の組成物。
【請求項４】  前記α，β−エチレン系不飽和モノマーは、モノカルボン酸、ビニルポリカルボン酸、アクリルアミドまたはそれらの混合物である請求項３に記載の組成物。
【請求項５】  前記超吸収性ポリマーは、セルロース系−グラフトコポリマー、澱粉−グラフトコポリマー、澱粉−ｇ−ポリ（アクリル酸）、ポリアクリルアミド、ポリビニルアルコール、ポリ（アクリル酸）、スルホン酸基含有モノマーのコポリマーまたはそれらの混合物である請求項１に記載の組成物。
【請求項６】  超吸収性ポリマーが架橋され、部分的に中和され、表面処理され、あるいはそれらの組み合わせが行われた請求項３〜５のいずれか１項に記載の組成物。
【請求項７】  界面活性剤をさらに含む請求項１に記載の組成物。
【請求項８】  ポリエチレン、ポリエチレンのコポリマー、ポリプロピレン、ポリプロピレンのコポリマーまたはポリスチレンをさらに含む請求項１、３または７のいずれか１項に記載の組成物。
【請求項９】  請求項１に記載の押出性熱可塑性超吸収性ポリマーブレンド組成物を調製する方法であって、（ａ）一種以上の超吸収性ポリマーおよび（ｂ）（ａ）とイオン相互作用または共有相互作用する官能基を含む一種以上の熱可塑性樹脂を組み合わせる工程を含み、前記官能基はアシル基またはカルボニル基であり、前記熱可塑性樹脂は、ポリアクリル酸、エチレン−アクリル酸コポリマー、エチレン−ｔ−ブチルアクリレート−アクリル酸ターポリマー、エチレン−酢酸ビニル−一酸化炭素ターポリマー、エチレン−一酸化炭素コポリマー、エチレン−アクリル酸−一酸化炭素ターポリマー、エチレン−ｎ−ブチルアクリレート−一酸化炭素ターポリマーまたはそれらのブレンドであり、ただし、前記熱可塑性樹脂がエチレン−アクリル酸コポリマーであるときには、前記樹脂は前記コポリマーの質量を基準として１０〜２０質量％のアクリル酸を有し、１９０℃及び２．１６キログラムの加荷重条件下に１００〜２００ｇ／１０分のメルトフローレートを有する、方法。
【請求項１０】  （ｃ）界面活性剤を成分（ａ）及び成分（ｂ）に組み合わせる工程をさらに含む請求項９に記載の方法。
【請求項１１】  押出品またはモールド成形品を製造する方法であって、
１）（ａ）一種以上の超吸収性ポリマーおよび（ｂ）（ａ）とイオン相互作用または共有相互作用する官能基を含む一種以上の熱可塑性樹脂を含む押出性熱可塑性超吸収性ポリマー組成物を調製する工程と、ここで、前記官能基はアシル基又はカルボニル基であり、前記熱可塑性樹脂は、ポリアクリル酸、エチレン−アクリル酸コポリマー、エチレン−ｔ−ブチルアクリレート−アクリル酸ターポリマー、エチレン−酢酸ビニル−一酸化炭素ターポリマー、エチレン−一酸化炭素コポリマー、エチレン−アクリル酸−一酸化炭素ターポリマー、エチレン−ｎ−ブチルアクリレート−一酸化炭素ターポリマーまたはそれらのブレンドであり、ただし、前記熱可塑性樹脂がエチレン−アクリル酸コポリマーであるときには、前記樹脂は前記コポリマーの質量を基準として１０〜２０質量％のアクリル酸を有し、１９０℃及び２．１６キログラムの加荷重条件下に１００〜２００ｇ／１０分のメルトフローレートを有する、
２）前記押出性熱可塑性超吸収性ポリマー組成物を押出品または成形品に押出すかまたは成形する工程とを含む方法。
【請求項１２】  前記押出性熱可塑性超吸収性ポリマー組成物は（ｃ）界面活性剤をさらに含む請求項１１に記載の方法。
【請求項１３】  前記押出品または成形品は、単一層フィルム、多層フィルム、不織ウェブ、シート、発泡体、異形材、多層貼合せ体、繊維、チューブ、ロッドまたはパイプである請求項１１または１２に記載の方法。
【請求項１４】  前記押出品または成形品は、モノフィラメント繊維、複合モノフィラメント繊維、スパンボンド不織ウェブ、メルトブロー不織ウェブ、またはそれらの組み合わせを含む複合材である請求項１１または１２に記載の方法。
【請求項１５】  前記押出品または成形品は、一種以上の複合繊維を含むスパンボンド不織ウェブ、一種以上の複合繊維を含むメルトブロー不織ウェブ、または一種以上のスパンボンド不織ウェブの少なくとも一層の層と一種以上のメルトブロー不織ウェブの少なくとも一層の層とを含む複合材構造体であって、前記複合材の一層以上の層が複合繊維を含む複合材構造体、を含む不織ウェブである請求項１１または１２に記載の方法。
【請求項１６】  押出品または成形品の形をとる請求項１または７に記載の組成物。
【請求項１７】  前記押出品または成形品は、単一層フィルム、多層フィルム、不織ウェブ、シート、発泡体、異形材、多層貼合せ体、繊維、チューブ、ロッドまたはパイプである請求項１６に記載の組成物。
【請求項１８】  前記押出品または成形品は、モノフィラメント繊維、複合モノフィラメント繊維、スパンボンド不織ウェブ、メルトブロー不織ウェブ、またはそれらの組み合わせを含む複合材である請求項１６に記載の組成物。
【請求項１９】  前記押出品または成形品は、一種以上の複合繊維を含むスパンボンド不織ウェブ、一種以上の複合繊維を含むメルトブロー不織ウェブ、または一種以上のスパンボンド不織ウェブの少なくとも一層の層と一種以上のメルトブロー不織ウェブの少なくとも一層の層とを含む複合材構造体であって、前記複合材の一層以上の層が複合繊維を含む複合材構造体、を含む不織ウェブである請求項１６に記載の組成物。
【請求項２０】  前記押出品または成形品は金属に貼合せた単一層フィルムまたは多層フィルムである、請求項１７に記載の組成物。
【請求項２１】  請求項２０に記載の組成物を含むケーブルであって、電力ケーブルまたは通信ケーブルである、ケーブル。
【請求項２２】  請求項１７、１８または１９に記載の組成物を含む使い捨て吸収用具。
【請求項２３】  おむつ、衛生用ナプキン、タンポン、失禁製品、病院着またはベッドパッドである請求項２２に記載の使い捨て吸収用具。